(57)【要約】【課題】  他のノードにアクセス可能な状態でない場合でも、他のノードのファイル閲覧履歴を利用して、ノード上のファイル閲覧処理を自在に行えることである。【解決手段】  ネットワークを介して複数の他のノードとアクセス可能な画像形成装置２０において、他のノードに保存される閲覧履歴を自機の閲覧履歴に同期づける同期先を設定する（Ｓ５０３、Ｓ５１３、Ｓ５１６、Ｓ５１８）。  そして、該同期先より他のノードで保持される閲覧履歴を取得して、保存されている閲覧履歴とを統合した統合閲覧履歴としてハードディスクに登録する。そして、入力され統合閲覧履歴表示要求に基づいて、ハードディスクに保存されている統合閲覧履歴を操作部の表示部に表示させる構成を特徴とする。【選択図】  図１９
2007041976.tif 000002
【特許請求の範囲】
【請求項１】
ネットワークを介して複数の他のノードとアクセス可能なデータ処理装置であって、
他のノードにアクセスして閲覧したファイルの閲覧履歴を保存する保存手段と、
他のノードで保持される閲覧履歴を取得して、前記保存手段が保存する閲覧履歴と統合し、統合閲覧履歴として前記保存手段に保存する統合手段と、
統合閲覧履歴表示要求に基づいて、前記保存手段に保存されている前記統合閲覧履歴を表示部に表示させる閲覧制御手段と、
を有することを特徴とするデータ処理装置。
【請求項２】
更に、前記統合手段が閲覧履歴を取得する１以上の他のノードを設定する設定手段を有し、
前記統合手段は、前記設定手段により設定された１以上の他のノードから取得した閲覧履歴と前記閲覧履歴とを統合することを特徴とする、請求項１記載のデータ処理装置。
【請求項３】
自機のノードの属性を判断する判断手段と、
前記閲覧制御手段は、前記判断手段による前記自機のノードの属性に基づいて前記表示部に表示すべき前記統合閲覧履歴の表示態様を変更することを特徴とする請求項１記載のデータ処理装置。
【請求項４】
前記判断手段により判断可能なノードの属性は、所定の画像情報を印刷するプリント装置の装備有無により異なることを特徴とする請求項１記載のデータ処理装置。
【請求項５】
前記閲覧制御手段は、前記プリント装置を備える場合に、前記表示部に表示される統合閲覧履歴で示されるファイルを印刷可能か、プレビュー可能かを判断するファイル判断手段を備え、
前記閲覧制御手段は、前記ファイル判断手段による判断結果に基づいて、前記表示部に表示する閲覧履歴に対して異なる印刷制御アイコンを付加表示することを特徴とする請求項１記載のデータ処理装置。
【請求項６】
前記閲覧制御手段は、前記ファイル判断手段により印刷可能と判断された場合は、印刷アイコンを前記統合閲覧履歴に付加表示し、前記ファイル判断手段により前記表示部にファイルをプレビュー可能と判断された場合は、印刷プレビューアイコンを前記統合閲覧履歴に付加表示することを特徴とする請求項１記載のデータ処理装置。
【請求項７】
前記閲覧制御手段は、前記表示部に表示される前記印刷アイコンまたは前記印刷プレビューアイコンの指示状態に基づいて、表示される閲覧履歴から特定されるノードより取得されるファイルを前記表示部へのプレビューまたは前記プリント装置への出力を指示することを特徴とする請求項１記載のデータ処理装置。
【請求項８】
前記統合閲覧履歴は、いずれかのノードで記憶されるファイルへのパス、アクセス日時、アクセスしたノード名を含むことを特徴とすることを特徴とする請求項１記載のデータ処理装置。
【請求項９】
前記ノードは、ネットワークを介してアクセス可能な他のデータ処理装置、画像処理装置、印刷装置、サーバ装置を含むことを特徴とする請求項１記載のデータ処理装置。
【請求項１０】
更に、前記統合手段が統合した統合閲覧履歴を、前記閲覧履歴を取得した１以上の他のノードへ配信する配信手段を有することを特徴とする、請求項１乃至９のいずれかに記載のデータ処理装置。
【請求項１１】
他のノードにアクセスして閲覧したファイルの閲覧履歴を保存する保存手段を備え、ネットワークを介して複数の他のノードとアクセス可能なデータ処理装置におけるファイル処理方法であって、
他のノードで保持される閲覧履歴を取得して、前記保存手段が保存する閲覧履歴と統合し、統合閲覧履歴として前記保存手段に保存する統合ステップと、
統合閲覧履歴表示要求に基づいて、前記保存手段に保存されている前記統合閲覧履歴を表示部に表示させる閲覧制御ステップと、
を有することを特徴とするファイル処理方法。
【請求項１２】
請求項１１記載のファイル処理方法をコンピュータに実行させるためのプログラムを格納したことを特徴とするコンピュータが読み取り可能な記憶媒体。
【請求項１３】
請求項１１記載のファイル処理方法をコンピュータに実行させることを特徴とするプログラム。
【発明の詳細な説明】
【技術分野】
【０００１】
本発明は、ネットワークを介して複数の他のノードとアクセス可能なデータ処理装置における情報検索処理に関するものである。
【背景技術】
【０００２】
従来の分散環境における情報検索方法においては、ネットワーク上の端末（情報処理装置）が備える記憶装置に情報検索履歴を保存して、次回の情報検索に利用可能なシステムが存在していた。
【０００３】
また、上記自機の記憶装置に保存した情報検索履歴に加えて、ネットワーク上の他の端末（情報処理装置）に記憶された情報検索履歴を利用して、ネットワーク上の情報検索処理を実現するものとして下記特許文献１が公開されている。
【０００４】
この特許文献１には、端末が、アクセス履歴データベース（ＤＢ）と、ＤＢサーバへの過去のアクセスの履歴として以下の情報を記憶する手段を備えることが記載されている。
【０００５】
例えば自端末よりアクセスした情報の所在位置、キーワード、検索目的、アクセス回数、最終アクセス時刻を前記アクセス履歴ＤＢへ格納する手段を有する。また、キーワードと検索目的の対を検索条件として前記アクセス履歴ＤＢを検索し、目的とする情報のアクセス履歴データを得る手段を有することにより、すなわち、１つ以上のデータベースサーバを持ち、各端末で取った履歴を相互参照するというものである。
【特許文献１】特開平１０−１３４０６４号公報
【発明の開示】
【発明が解決しようとする課題】
【０００６】
しかしながら、上述した特許文献１では、各端末が自身の履歴を保持し相互に参照するため、その端末が、電源が落ちているなど利用できる状態でなかったときに履歴を閲覧することができない。
【０００７】
また、どの端末でファイルを閲覧したかは、その端末にアクセスしないと判断できない。さらに、他の端末の履歴を参照するために１回１回各端末にアクセスしなければならないため、パフォーマンス的な問題もあった。
【０００８】
さらに、端末装置で検索されたファイルをプリントしたり、プレビューするためには、端末装置を介してプリンタ装置に取得したファイルをプリント情報に変換して出力したり、取得したファイル情報を端末装置でラスタイメージに変換したりする必要が生じる。このため、ユーザが最終的にファイル検索したものを処理するまでに操作が煩雑となってしまう。
【０００９】
また、ネットワーク上のノードが複数存在する場合には、検索対象をユーザが絞り込むような機能を備えておらず、ユーザ毎の検索先指定要求に対して柔軟に対応できない等の課題があった。
【００１０】
本発明は、上記の課題を解決するためになされたもので、本発明の目的は、ネットワークを介して複数の他のノードとアクセス可能なデータ処理装置であって、他のノードに保存される閲覧履歴を自機の閲覧履歴に同期づける同期先を設定し、該同期先より他のノードで保持される閲覧履歴を取得して、保存されている閲覧履歴とを統合した統合閲覧履歴として保存手段に登録し、入力され統合閲覧履歴表示要求に基づいて、保存手段に保存されている統合閲覧履歴を表示部に表示させることにより、他のノードにアクセス可能な状態でない場合でも、他のノードのファイル閲覧履歴を利用して、ノード上のファイル閲覧処理を自在に行える仕組みを提供することである。
【課題を解決するための手段】
【００１１】
上記目的を達成する本発明のデータ処理装置は以下に示す構成を備える。
【００１２】
本発明に係る第１の発明は、ネットワークを介して複数の他のノードとアクセス可能なデータ処理装置であって、他のノードにアクセスして閲覧したファイルの閲覧履歴を保存する保存手段と、他のノードで保持される閲覧履歴を取得して、前記保存手段が保存する閲覧履歴と統合し、統合閲覧履歴として前記保存手段に保存する統合手段と、統合閲覧履歴表示要求に基づいて、前記保存手段に保存されている前記統合閲覧履歴を表示部に表示させる閲覧制御手段とを有することを特徴とする。
【００１３】
上記目的を達成する本発明のファイル処理方法は以下に示す構成を備える。
【００１４】
他のノードにアクセスして閲覧したファイルの閲覧履歴を保存する保存手段を備え、ネットワークを介して複数の他のノードとアクセス可能なデータ処理装置におけるファイル処理方法であって、他のノードで保持される閲覧履歴を取得して、前記保存手段が保存する閲覧履歴と統合し、統合閲覧履歴として前記保存手段に保存する統合ステップと、統合閲覧履歴表示要求に基づいて、前記保存手段に保存されている前記統合閲覧履歴を表示部に表示させる閲覧制御ステップとを有することを特徴とする。
【発明の効果】
【００１５】
本発明によれば、他のノードにアクセス可能な状態でない場合でも、他のノードのファイル閲覧履歴を利用して、ノード上のファイル閲覧処理を自在に行えるため、ユーザのファイル閲覧処理の利便性が向上する。
【００１６】
また、ファイル閲覧処理に連動して、データ処理装置がプリンタ装置を備える場合には、閲覧処理画面から連動して選択されるファイルのプレビューやプリン処理を自在に指示できる。
【００１７】
また、ネットワーク上のノードが複数存在する場合でも、検索対象ノードをユーザがあらかじめ登録できるため、ユーザが統合閲覧履歴として登録したいノードを自在に選定でき、ユーザの利便性が向上する。
【発明を実施するための最良の形態】
【００１８】
次に本発明を実施するための最良の形態について図面を参照して説明する。
【００１９】
＜システム構成の説明＞
〔第１実施形態〕
以下、図面を参照して本発明の実施の形態を説明する。
【００２０】
図１は、本発明の第１実施形態を示すデータ処理装置を適用可能なデータ処理システムの一例を示す図である。
【００２１】
本例では、ネットワークの機器、例えばデータ処理装置、サーバ装置、画像処理装置、プリント装置等がネットワーク上でアクセス可能なノードとして認識される場合を示すが、ノードしての機器はこれらに限定されるものではない。
【００２２】
図１において、ローカルエリアネットワーク（LAN）４００上に、PC１０、１１、１２、１３、複写機やプリンタなどの画像形成装置２０、２１が存在する。
【００２３】
ＰＣ１０〜１３は、それぞれコンピュータシステムを構成するハードウエアとソフトウエアを備え、ＯＳが記憶装置に記憶されるアプリケーションを実行することで、種々のデータ処理を行う。
【００２４】
また、ＰＣ１０〜１３は、デバイスドライバ、例えばプリンタドライバを介して、画像形成装置２０、２１に対してプリントジョブを送信可能に構成されている。
【００２５】
画像形成装置２０、２１は、所定のプロトコルでネットワーク通信可能に構成され、所定のＩＰアドレス等が設定されてそのノードが管理されている。
【００２６】
なお、本発明を適用するネットワークは、ＬＡＮ４００だけでなく、システム上に存在するノードは、インターネット上のＰＣやサーバなどでも良い。
【００２７】
図２は、図１に示したＰＣ１０、１１、１２、１３等の内部構成を説明するブロック図である。なお、図１と同一のものには同一の符号を付してある。以下、図２を参照して、図１に示したPC１０、１１、１２、１３の内部構成について、並びにファイル閲覧履歴の保存について説明する。
【００２８】
図２において、ＣＰＵ４１０１は、全体の制御を行う中央演算装置であり、ＲＯＭ４１０５およびハードディスクユニット４１０６に記憶されたプログラムを実行する。
【００２９】
ネットワークインタフェース４１０２は、他の機器との間でネットワークを介したデータ通信を行うための制御部である。
【００３０】
ＣＰＵ４１０１によって実行されるソフトウエアは、ＬＡＮ４００を介して、印刷デバイス（図１に示す画像形成装置２０、２１を含む）や他のネットワーク機器、あるいは他のコンピュータと双方向のデータのやり取りを行うことができる。
【００３１】
周辺インタフェース４１０３は、周辺機器の制御を行うための制御部である。メモリ４１０４は、ＣＰＵ４１０１で実行する命令や、データなどを保存するための、一般的には揮発性の記憶部である。
【００３２】
ＲＯＭ４１０５は、基本的なハードウエア制御を行うためのプログラムやデータなどを保存するための読み取り専用記憶部である。ハードディスクユニット４１０６は、PC本体で実行されるプログラムや演算されたデータなどを保存するための、一般的には不揮発性の記憶部である。
【００３３】
ハードディスクユニット４１０６には、ブートプログラム（起動プログラム：ハードやソフトの実行（動作）を開始するプログラム）、複数のアプリケーション、編集ファイル、ユーザファイルそしてネットワーク管理プログラム等を記憶可能に構成されている。
【００３４】
ディスプレイインタフェース４１０７は、PCの内部状態や、実行状態などを表示するためのディスプレイ１７１を接続するため制御部である。ディスプレイ１７１は液晶ディスプレイ４２０３により構成される。
【００３５】
そして、ＣＰＵ４１０１で実行されるソフトウエアは、液晶ディスプレイ４２０３上にグラフィカルユーザインタフェースを描画できる。
【００３６】
液晶ディスプレイ４２０３はディスプレイインタフェース４１０７によって駆動される。
【００３７】
ＰＣ１０、１１、１２、１３におけるファイル閲覧については、例えばPC上のOS(Windows（登録商標）など)のファイル閲覧ソフト(エクスプローラ（商品名））などでファイルの検索などを行う。そして、実際に閲覧した履歴（閲覧履歴）は、テキストファイル形式などでハードディスクユニット４１０６内に確保される履歴領域に対してローカルに保持される。
【００３８】
このローカルに保持された閲覧履歴が、後述する他のノードとの同期が行われると、別ファイルとして統合閲覧履歴としてハードディスクユニット４１０６内に確保される統合履歴領域に対してローカルに保持される。この統合閲覧履歴に関しては、上記同様にテキストファイルの他、HTML、XMLファイル形式なども考えられる。
【００３９】
キーボードインタフェース４１０８やマウスインタフェース４１０９は、計算機４１００に対してユーザがデータや命令を入力するための入力装置を接続できる。
【００４０】
周辺機器インタフェース４１０３は、ＵＳＢ、ＲＳ−２３２Ｃシリアル、ＩＥＥＥ１３９４などの仕様を実装した周辺機器を接続するための制御部である。
【００４１】
なお、本発明を適用可能なネットワークシステムにおけるＰＣ１０〜１３もネットワーク上における１つのノードであり、後述する画像形成装置２０２１もまた、ネットワーク上における１つのノードである。
【００４２】
＜画像形成装置の全体構成の説明＞
次に、図３において画像形成装置２０，２１の説明を行う。
【００４３】
図３は、図１に示した画像形成装置２０，２１の構成を説明するブロック図である。
【００４４】
図３において、リーダ部（画像入力装置）２００は、原稿画像を光学的に読み取り、画像データに変換する。リーダ部２００は、原稿を読取るための機能を持つスキャナユニット２１０と、原稿用紙を搬送するための機能を持つ原稿給紙ユニット２５０とで構成される。
【００４５】
プリンタ部（画像出力装置）３００は、記録紙を搬送し、その上に画像データを可視画像として装置して装置外に排紙する。
【００４６】
プリンタ部３００は、複数種類の記録紙カセットを持つ給紙ユニット３６０と、画像データを記録紙に転写、定着させるマーキングユニット３１０と、印字された記録紙をソート、ステイプルして機外へ出力する排紙ユニット３７０とで構成される。
【００４７】
制御装置１１０は、リーダ部２００、プリンタ部３００と電気的に接続され、さらにＬＡＮ４００にと接続されている。
【００４８】
制御装置１１０は、リーダ部２００を制御して、原稿の画像データを読込み、プリンタ部３００を制御して画像データを記録用紙に出力してコピー機能を提供する。
【００４９】
また、リーダ部２００から読取った画像データを、コードデータに変換し、ＬＡＮ４００を介してＰＣ１０などへ送信するスキャナ機能を有する。また、ＰＣ１０などからＬＡＮ４００を介して受信したコードデータを画像データに変換し、プリンタ部３００に出力するプリンタ機能を提供する。
【００５０】
操作部１５０は、制御装置１１０に接続され、液晶タッチパネルで構成され、画像入出力システムを操作するためのユーザＩ／Ｆを提供する。
【００５１】
＜画像形成装置における制御装置の説明＞
次に、制御装置１１０の機能を、図４に示すブロック図をもとに説明する。
【００５２】
図４は、図３に示した制御装置１１０の構成を説明するブロック図である。
【００５３】
図４において、メインコントローラ１１１は、主にＣＰＵ１１２と、バスコントローラ１１３、各種Ｉ／Ｆコントローラ回路とから構成される。
【００５４】
ＣＰＵ１１２とバスコントローラ１１３は制御装置１１０全体の動作を制御するものであり、ＣＰＵ１１２はＲＯＭ１１４からＲＯＭ  Ｉ／Ｆ１１５を経由して読込んだプログラムに基づいて動作する。
【００５５】
また、ＰＣ１０などから受信したＰＤＬ（ページ記述言語）コードデータを解釈し、ラスタイメージデータに展開する動作も、このプログラムに記述されており、ソフトウエアによって処理される。
【００５６】
バスコントローラ１１３は各Ｉ／Ｆから入出力されるデータ転送を制御するものであり、バス競合時の調停やＤＭＡデータ転送の制御を行う。ＤＲＡＭ１１６はＤＲＡＭ  Ｉ／Ｆ１１７によってメインコントローラ１１１と接続されており、ＣＰＵ１１２が動作するためのワークエリアや、画像データを蓄積するためのエリアとして使用される。
【００５７】
Ｃｏｄｅｃ１１８は、ＤＲＡＭ１１６に蓄積されたラスタイメージデータをＭＨ／ＭＲ／ＭＭＲ／ＪＢＩＧ／ＪＰＥＧ等の方式で圧縮し、また逆に圧縮され蓄積されたコードデータをラスタイメージデータに伸長する。
【００５８】
ＳＲＡＭ１１９はＣｏｄｅｃ１１８の一時的なワーク領域として使用される。Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。
【００５９】
Ｇｒａｐｈｉｃ  Ｐｒｏｃｅｓｓｏｒ１３５は、画像回転、変倍処理の処理を行う。１３６はＳＲＡＭで、Ｇｒａｐｈｉｃ  Ｐｒｏｃｅｓｓｏｒ１３５の一時的なワーク領域として使用される。
【００６０】
外部通信Ｉ／Ｆ１２１は、インタフェース１２３によってメインコントローラ１１１と接続され、コネクタ１２２によって外部ネットワークと接続される。
【００６１】
汎用高速バス１２５には、拡張ボードを接続するための拡張コネクタ１２４とＩ／Ｏ制御部１２６とが接続される。汎用高速バス１２５としては、一般的にＰＣＩバスがあげられる。
【００６２】
Ｉ／Ｏ制御部１２６には、リーダ部２００、プリンタ部３００の各ＣＰＵと制御コマンドを送受信するための調歩同期シリアル通信コントローラ１２７が２チャンネル装備されている。また、Ｉ／Ｏ制御部１２６はＩ／Ｏバス１２８によって外部Ｉ／Ｆとして機能するスキャナＩ／Ｆ回路１４０，プリンタＩ／Ｆ回路１４５に接続されている。
【００６３】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。
【００６４】
操作部１５０は、液晶表示部と液晶表示部上に張り付けられたタッチパネル入力装置と、複数個のハードキーを有する。
【００６５】
タッチパネルまたはハードキーにより入力された信号は前述したパネルＩ／Ｆ１３２を介してＣＰＵ１１２に伝えられ、液晶表示部は、パネルＩ／Ｆ５２０から送られてきた画像データを表示するものである。
【００６６】
液晶表示部には、本画像形成装置の操作における機能表示や画像データ等を表示する。
【００６７】
リアルタイムクロックモジュール１３３は、機器内で管理する日付と時刻を更新／保存するためのもので、バックアップ電池１３４によってバックアップされている。
【００６８】
Ｅ−ＩＤＥインタフェース１６１は、外部記憶装置を接続するためのものである。本実施形態においては、このＥ−ＩＤＥインタフェース１６１を介してハードディスクドライブ１６０を接続し、ハードディスク１６２へ画像データを記憶させたり、ハードディスク１６２から画像データを読み込んだりする動作を行う。
【００６９】
コネクタ１４２と１４７は、それぞれリーダ部２００とプリンタ部３００とに接続され、同調歩同期シリアルＩ／Ｆ（１４３，１４８）とビデオＩ／Ｆ（１４４，１４９）とから構成される。
【００７０】
スキャナＩ／Ｆ１４０は、コネクタ１４２を介してリーダ部２００と接続され、また、スキャナバス１４１によってメインコントローラ１１１と接続されている。また、リーダ部２００から受け取った画像に対して所定の処理を施す機能を有し、さらに、リーダ部２００から送られたビデオ制御信号をもとに生成した制御信号を、スキャナバス１４１に出力する機能も有する。
【００７１】
スキャナバス１４１からＤＲＡＭ１１６へのデータ転送は、バスコントローラ１１３によって制御される。プリンタＩ／Ｆ１４５は、コネクタ１４７を介してプリンタ部３００と接続されている。
【００７２】
また、プリンタバス１４６によってメインコントローラ１１１と接続されており、メインコントローラ１１１から出力された画像データに所定の処理を施して、プリンタ部３００へ出力する機能を有しする。
【００７３】
また、メインコントローラ１１１のバスコントローラ１１３は、プリンタ部３００から送られたビデオ制御信号をもとに生成した制御信号を、プリンタバス１４６に出力する機能も有する。
【００７４】
具体的には、ＤＲＡＭ１１６上に展開されたラスタイメージデータのプリンタ部３００への転送は、バスコントローラ１１３によって制御され、プリンタバス１４６、ビデオＩ／Ｆ１４９を経由して、プリンタ部３００へＤＭＡ転送される。
【００７５】
なお、画像形成装置２０、２１もまた、ネットワークシステム上のノードとして認識可能なデバイスである。
【００７６】
＜画像形成装置における操作部の説明＞
図５は、図３に示した操作部１５０の表示部に表示される基本画面を示す図である。なお、この画面はタッチパネルとなっており、それぞれ表示される機能の枠内を触れることにより、その機能が実行される。コピーモードキー５２４は、複写動作を行う場合に押すキーである。
【００７７】
そして、このコピーモードキー５２４が押されたときに、図５に示すコピーモードの画面５３０を表示する。
【００７８】
図５において、拡張機能キー５０１は、この拡張機能キー５０１を押すことによって両面複写、多重複写、移動、綴じ代の設定、枠消しの設定等のモードに入る。
【００７９】
５４０はステータスラインであり、機器の状態や印刷情報を示すメッセージを表示する。本例の場合、コピー待機中であることを示している。
【００８０】
画像モードキー５０２は、複写画像に対して網掛け、影付け、トリミング、マスキングを行うための設定モードに入る。ユーザモードキー５０３は、モードメモリの登録、標準モード画面の設定が行える。
【００８１】
応用ズームキー５０４は、原稿のＸ方向、Ｙ方向を独立に変倍するモード、原稿サイズと複写サイズから変倍率を計算するズームプログラムのモードに入る。
【００８２】
Ｍ１キー５０５、Ｍ２キー５０６、Ｍ３キー５０７は、それぞれに登録されたモードメモリを呼び出す際に押すキーである。コールキー５０８は過去の操作履歴を呼び出すためのキーである。
【００８３】
オプションキー５０９は、フィルムから直接複写するため、フィルムプロジェクタ等のオプション機能の設定を行うキーである。ソータキー５１０は、ソート、ノンソート、グループの設定を行うキーである。
【００８４】
原稿混載キー５１１は、原稿フィーダにＡ４サイズとＡ３サイズ、またはＢ５サイズとＢ４サイズの原稿を一緒にセットする際に押すキーである。
【００８５】
等倍キー５１２は、複写倍率を１００％にする際に押すキーである。縮小キー５１４、拡大キー５１５は、定型の縮小、拡大を行う際に押すキーである。ズームキー５１６を用いることにより複写倍率を１％刻みで設定することも可能である。
【００８６】
用紙選択キー５１３は、複写用紙の選択を行う際に押すキーである。濃度キー５１８、５２０は、キー５１８を押す毎に濃く複写され、キー５２０を押す毎に薄く複写される。
【００８７】
濃度表示器５１７は、濃度キー５１８、５２０を押すと表示が左右に変化する。ＡＥキー５１９は、新聞のように地肌の濃い原稿を自動濃度調整複写するときに押すキーである。ＨｉＦｉキー（ＨＩＦＩキー）５２１は、写真原稿のように中間調の濃度が濃い原稿の複写の際に押すキーである。文字強調キー５２２は、文字原稿の複写で文字を際だたせたい場合に押すキーである。
【００８８】
５６０は履歴キーであり、この履歴キー５６０を押下することで、印刷済みのジョブの履歴情報を表示部に表示する。例えば、印刷ジョブの、終了時刻、ユーザ名、ファイル名、印刷枚数等の情報を表示する。
【００８９】
６００はプリンタ選択キーであり、リモートコピーや重連コピーを行う場合の受信側複写機を選択する際に押すキーである。
【００９０】
ガイドキー５２３は、あるキーの機能がわからないとき押すキーであり、そのキーの説明が表示される。コピーモードキー５２４は、コピー機能を使用するときに押すキーである。ファックスモードキー５２５は、ファクシミリ機能を使用するときに押すキーである。
【００９１】
Ｂｏｘキー５２６は、Ｂｏｘ機能を使用したいときに押すキーである。プリンタキー５２７は、プリントの濃度を変更する、あるいは、リモートのホストコンピュータからのＰＤＬデータのプリント出力詳細情報を参照したい場合に押すキーである。
【００９２】
ＩＤキー５２８は後述するユーザ認証を、再度行う場合に押下するキーである。このＩＤキー５２８を押下することで現在ログインしているユーザがログアウト状態になり、操作部１５０の表示画面は、コントローラ部１１０の制御により後述する図６に示すユーザ認証画面に切り替わる。
【００９３】
ファイル検索キー５９６は、ネットワーク上の他のファイルサーバなどからファイルを閲覧したいときに押すキーである。このファイル検索キー５９６を押下すると、図７に示すようにファイル検索のための画面がコントローラ部１１０の制御で操作部１５０の液晶表示部ＰＴ上に表示される。なお、ファイル検索のための画面の詳細については後述する。
【００９４】
同期設定キー５９７は、ネットワークの他のノードとの間でファイル閲覧情報を同期させる、その同期方法に関する設定をする画面を開くためのキーである。この同期設定キー５９７を押下すると、操作部１５０の表示画面は、コントローラ部１１０の制御により後述する図８に示す同期方法設定画面に切り替わる。
【００９５】
統合履歴閲覧キー５９８は、統合閲覧履歴を参照したいときに押すキーである。この統合履歴閲覧キー５９８を押下すると、図１１に示すように統合閲覧履歴を参照することができる。
【００９６】
閲覧履歴同期キー５９９は、図１０で示すノード選択画面をコントローラ部１１０の制御により操作部１５０に表示して、手動でファイル閲覧履歴を同期したいときに押すキーである。
【００９７】
なお、この図５に示す基本画面を表示する前に、図６に示すようにユーザ認証を行ってもよい。なお、図５において、ＰＴは液晶表示部で、各キーの操作の状態を判別して、コントローラ部１１０の制御で表示内容が切り替わる。
【００９８】
図６は、図５に示した液晶表示部ＰＴに表示されるログイン画面の一例を示す図である。
【００９９】
図６において、７００はユーザ名で、ユーザは操作部１５０上のキーを使用してパスワード７０１、ドメイン名７０２を入力する。そして、ＯＫボタン７０３を押下することで、入力されるログイン情報を決定する。
【０１００】
これにより、シングルサインオン（ＳＳＯ：Single Sign-On）などの技術を使用することで、図１０に表示する同期取りを行う対象範囲として、そのユーザが使用するノード或いは使用可能なノードに特定することができる。また、図５−１のようなユーザ認証を行わなくても、例えば同一ドメイン内のファイルの閲覧管理としても良い。
【０１０１】
この際、ＳＳＯを使用するか、例えばドメインごとの設定にするか、手動設定にするかどうかは、同期設定キー５９７を押下したときに開く、図８に示す閲覧履歴の同期方法のための表示画面において設定可能である。
【０１０２】
ユーザが一度認証を受けるだけで、許可されているすべての機能を利用できるようになるシステムがある。このようなシステムにおいて、ＳＳＯが用いられている。
【０１０３】
例えばネットワークに接続された端末を使っている場合、端末の起動時に一回、LANへの接続時に一回、サーバへの接続に一回、サーバ上のアプリケーションを起動させる時に一回……というように何度もパスワードとIDを入力する状況も考えられる。
【０１０４】
こうした手間を省き、一度確認されれば全てのユーザ認証をパスできるようにするのがシングルサインオン（ＳＳＯ）の機能である。
【０１０５】
この機能は、Windows（登録商標）NTやUNIX（登録商標）にも以前から導入されていた機能であるが、パスワードを要求するWebサイトの増加やネットワークの大規模化などから、最近になって需要が増えつつある。この機能を有するアプリケーションも発売されるようになってきたが、アプリケーションがパスワード要求画面を判断し、登録されたIDとパスワードを代理登録するという手法がよく使われる。
【０１０６】
＜画像形成装置、ＰＣにおける同期処理の説明＞
画像形成装置２０、２１、ＰＣ１０〜１３ともに、ファイル閲覧をした際には、ローカルにファイルとして閲覧履歴が不揮発性の記憶装置に保存される。このローカルのハードディスク等に保存された閲覧履歴が、他のノードとの同期が行われると、統合閲覧履歴として上記ハードディスク上に保存される。この統合閲覧履歴を保存する際のファイル形式は、テキストファイルの他、ＨＴＭＬ、ＸＭＬファイルなど汎用のファイル形式が考えられる。また、独自のファイル形式を用いても良い。
【０１０７】
図７は、図５に示した液晶表示部ＰＴに表示されるファイル検索画面の一例を示す図である。なお、本画面は、画像形成装置２０、２１が備える操作部１５０に配置されるファイル検索キー５９６が押下されることを検知して、ファイルを閲覧するために画面コントローラ部１１０の制御で表示される。
【０１０８】
図７において、７２０はパス設定部で、ホスト名などを含めたパスが入力される。７２３は参照キーで、該参照キー７２３を押下して同一ネットワークに存在するホストの一覧からホストを選択するようにしてもよい。
【０１０９】
また、このパス設定部７２０に入力されたパス以下のリスト７２１が表示される。このパス設定部７２０のリスト７２１の中から閲覧したいファイルを選択し、閲覧キー７２２を押下することで、パスで設定されているノード上のファイルの閲覧が可能である。
【０１１０】
このとき、本ノード（画像形成装置２０、２１）で閲覧ができないファイルタイプであった場合には、アイコンＩＣで閲覧できないような表示となっており、このとき該当する欄はグレイアウトされた状態となる。なお、表示態様は、アイコン表示に限定されるものではない。
【０１１１】
図８は、図５に示した液晶表示部ＰＴに表示される閲覧履歴の同期方法設定画面の一例を示す図である。なお、本画面は、画像形成装置２０、２１が備える操作部１５０に配置される同期設定キー５９７を押下したことを検知して、ファイルを閲覧するために画面コントローラ部１１０の制御で表示される。
【０１１２】
図８において、リスト７３０では、同期の対象範囲の選択を行う。ＳＳＯで、つまり認証したユーザ単位で行うのか、ドメイン指定で行うのか、ノードの指定で行うのかをユーザが直接選択する。この３つの選択項目は排他処理されており、いずれか１つのみが選択可能である。
【０１１３】
これらの指定のうち、ドメイン指定、ノード指定を選択した場合は、どのドメイン、ノードかを設定するために、ドメイン／ノード設定部７３１で、ドメイン名、もしくはノード名を設定する。図８に示す場合は、ノードの例で説明しているが、ドメインに関しても表示は同様になる。
【０１１４】
また、リストが表示しきれない場合は、スクロールキー７３２を利用する。７３３は詳細設定キーであり、この詳細設定キー７３３を押下すると、図９に示す画面を表示し、同期を実行するタイミングについて設定する。
【０１１５】
本画面において、７３４はキャンセルキーであり、画面を開いてからの設定をキャンセルし、７３５はＯＫキーであり、これは設定を有効にするキーである。
【０１１６】
図９は、図５に示した液晶表示部ＰＴに表示される閲覧履歴の同期方法詳細設定画面の一例を示す図である。なお、本画面は、図８の画面に設けられる詳細設定キー７３３を押下したことを検知して、ファイルを閲覧するために画面コントローラ部１１０の制御で表示される。
【０１１７】
図９において、リスト７４０では、同期方法について選択が可能である。
【０１１８】
本実施形態では、起動時（電源ＯＮ時）、定期同期実行、指定時間実行の３つの属性で選択可能で、定期同期実行はその時間間隔を、指定時間実行は時刻を指定できる。なお、ノードが画像形成装置２０、２１である場合には、所定のジョブを実行毎や、特定のジョブ処理時毎等のように、ユーザの画像形成要求に適応した設定を組み入れる構成としてもよい。
【０１１９】
なお、指定時間実行の時刻設定は複数指定できるようにしてもよい。また、この同期実行の選択に関しては、複数設定が可能である。
【０１２０】
７４１はキャンセルキーであり、画面を開いてからの設定をキャンセルし、７４２はＯＫキーであり、これは設定を有効にするキーである。
【０１２１】
図１０は、図５に示した液晶表示部ＰＴに表示される同期ノード選択画面の一例を示す図である。なお、本画面は、画像形成装置２０、２１が備える操作部１５０に配置される閲覧履歴同期キー５９９を押下したことを検知して、ファイルを閲覧するために画面コントローラ部１１０の制御で表示される。
【０１２２】
また、同期処理は、図９で設定可能であると説明したとおり、電源起動時、また、一定間隔、指定時間に自動に実施する、ということが考えられるが、それに加えて、手動で実施できるようにしている。
【０１２３】
図１０において、１３２１は同期対象として設定可能なノードのリストで、それに対してタッチパネルをタッチすることでチェックをつける。１３２２はスクロールキーで、対象ノードが多いときにスクロールさせて使用する。１３２３は開始キーで、このキーを押下することで同期処理を実行する。
【０１２４】
なお、当該リストを、ユーザ名等の識別情報で、ユーザ同期ノードファイルとしてローカル、あるいはネットワーク上のメモリ資源に登録しておき、ユーザ認証実行後、ユーザ同期ノードファイルをダウンロードして表示する構成としてもよい。
【０１２５】
図１１は、図２に示したＰＣ１０〜１３の液晶ディスプレイ４２０３に表示されるファイル閲覧履歴表示画面の一例を示す図である。なお、本画面は、ＣＰＵ４１０１の制御で表示される。本画面は、図１に示したＰＣ１０、１１、１２、１３上におけるファイル閲覧履歴を表示したものである。なお、悦7欄履歴を表示するためのアプリケーションプログラムは、専用のユーティリティとしてもよいし、汎用のファイル検索ソフトに組み込み可能なパッチやプラグインであってもよい。
【０１２６】
図１１において、リスト１３０１に閲覧したファイルの履歴を各ファイルへのパスを記述した形式で表示している。更に、リスト１３０１にはアクセス日時、アクセスノードの情報が表示されている。１  ３０２はスクロールキーであり、履歴が数ページに渡る場合はこのスクロールキーを押下することで閲覧履歴を順番に参照することができる。
【０１２７】
１３０３は閲覧キーであり、閲覧したいファイルを選択した状態で、このキーを押下するとそのファイルを閲覧できる。また、１３０４は閉じるキーであり、このキーを押下することでファイル閲覧履歴の表示を終了する。
【０１２８】
図１２は、図５に示した液晶表示部ＰＴに表示されるファイル閲覧履歴表示画面の一例を示す図である。なお、本画面は、画像形成装置２０、２１が備える操作部１５０にコントローラ部１１０の制御で表示される。本画面は、図１に示した画像形成装置２０、２１上におけるファイル閲覧履歴を表示したものである。
【０１２９】
本例では、リスト１３１１に閲覧したファイルの履歴、アクセス日時、アクセスノードの情報が表示されている。
【０１３０】
図１２において、１３１２はスクロールキーであり、履歴が数ページに渡る場合はこのスクロールキーを押下することで閲覧履歴を順番に参照することができる。１３１３は閲覧キーであり、閲覧したいファイルを選択した状態で、このキーを押下するとそのファイルを閲覧できる。また、１３１４は閉じるキーであり、この閉じるキー１３１４を押下することでファイル閲覧履歴の表示を終了する。
【０１３１】
また、閲覧履歴ファイルのうち、印刷可能なファイルに対してはリスト１３１１の各リストの右側にプリントアイコンＩＣ１１が表示されている。また、閲覧履歴ファイルのうち、画像形成装置２０、２１の操作部にプレビュー表示が可能なファイルに対しては印刷プレビューアイコンＩＣ１２がそれぞれ表示されている。
【０１３２】
なお、本実施形態において、プリント可能なファイルフォーマットは、ビットマップファイルやＰＤＦ形式ファイルなどが考えられる。また、ファイルの形式は、各ファイル名の拡張子やクリエータ情報などに基づいて判断するものとする。
【０１３３】
プリントアイコンIC１１を押下すると、操作部１５０から制御装置１１０内のメインコントローラ１１１に情報が渡る。そして、メインコントローラ１１１が外部通信I/F１２１を介して該当ファイルの画像情報の取得を表示されるアクセスノードのファイルパスから行う。
【０１３４】
この時、取得した画像情報のファイル形式がイメージデータであれば、画像情報の取得を行い、ＧｒａｐｈｉｃＰｒｏｃｅｓｓｏｒ１３５により画像処理され、その後、プリンタＩ／Ｆ１４５を介してプリンタ３００にデータが渡りプリント処理される。
【０１３５】
印刷プレビューアイコンＩＣ１２については、ファイルを保持しているノード内で、プレビューデータを保持しそれを取得する、もしくはアクセスするノード側で、プリント可能データをプレビューデータに変換する、などが考えられる。
【０１３６】
本実施形態において、印刷プレビュー表示が可能なファイルは、ファイル自身がプレビュー用の画像を保持しているか否かに基づいて判断している。或いは、ファイル自身がプレビュー用の画像を保持していなくても画像形成装置２０、２１内でプレビュー用の画像を生成できると判断したものも印刷プレビュー表示が可能なファイルと判断しても良い。
【０１３７】
例えば、ファイルを保持しているノード内にデータが保持されている場合に、印刷プレビューアイコンＩＣ１２が押下された場合は、操作部１５０から制御装置１１０内のメインコントローラ１１１に情報が渡る。そして、メインコントローラ１１１が外部通信Ｉ／Ｆ１２１を介して該当ファイルの画像取得をアクセスノード、ファイルパスの情報に従い行う。その後、メインコントローラ１１１から制御部１２６に画像情報が渡り、パネルＩ／Ｆ１３２を介して、操作部１５０の液晶表示部ＰＴ上に表示される。このときのプレビュー画面の例は、図１３に示す通りである。
【０１３８】
図１３は、図５に示した液晶表示部ＰＴに表示される印刷プレビュー画面の一例を示す図である。なお、本画面は、画像形成装置２０、２１が備える操作部１５０の、印刷プレビューアイコンＩＣ１２が押下されたことを検出して、にコントローラ部１１０の制御で表示される。
【０１３９】
図１３において、１３３１はファイル情報で、どのファイルをプレビューしているかの情報が表示される。
【０１４０】
１３３２は実際のプレビュー画像である。１３３３がプリント開始キー、１３３４が戻るキーである。
【０１４１】
ここで、プリント開始キー１３３３を押下すると前述したようにプリント処理される。一方、戻るキー１３３４を押下すると、図１２に示す画面表示状態に戻る。
【０１４２】
図１４は、本実施形態に係る同期処理においてノード指定をした場合のネットワークの様子を示した図である。本システム例は、図８における同期方法のうち、ノード指定の場合のネットワークの様子を表したものである。
【０１４３】
ノードを直接指定するため、例えばＰＣ１０、１１、画像形成装置２０、２１を指定する、などが考えられる。
【０１４４】
図１５は、本実施形態に係る同期処理においてドメイン指定をした場合のネットワークの様子を示した図である。本システム例は、図８における同期方法のうち、ドメイン指定の場合のネットワークの様子を表したものである。
【０１４５】
図１５におけるドメインコントローラ４００１が管理するノードが例えばＰＣ１１、１２、１３、画像形成装置２１でそのドメイン名が「TestDomain」という名前であったとする。この場合、図８におけるドメイン／ノード設定部７３１でTestDomainとドメイン名を指定すると、このTestDomainに属するＰＣ１１、１２、１３、画像形成装置２１のすべてのノードにおいて同期処理を行うことになる。
【０１４６】
図１６は、本実施形態に係る同期処理においてＳＳＯを利用した場合のネットワークの様子を示した図である。本システム例は、図８における同期方法のうち、ＳＳＯを利用した場合のネットワークの様子を表したものである。
【０１４７】
図１６における認証サーバ４０００において、ある認証されたユーザが使用可能なノードはＰＣ１０、ＰＣ１１、画像形成装置２０であるという情報が管理されている。そして、当該ユーザが認証サーバを用いてユーザ認証を行なうと、この認証サーバ４０００に管理されている情報を元に同期処理対象のノードを選択し、同期処理を行うことになる。
【０１４８】
図１７は、本実施形態に係る同期処理において同対象となるデータを説明するする図である。
【０１４９】
図１７に示すデータは、同期処理を行う際に使用されるデータ例を表したものである。同期データは、いわゆる閲覧履歴のデータであるから、閲覧したファイルパス、アクセス日時、アクセスを行ったノード名がそのデータとなる。
【０１５０】
図１８は、図１に示したデータ処理システムにおける同期処理例を示す図である。
【０１５１】
図１８において、例えば画像形成装置２０と、ＰＣ１０、１１、１２が同期処理を行う場合は、画像形成装置２０がマスターとなる。そして、画像形成装置２０がＰＣ１０、１１、１２のノードから、それぞれの閲覧履歴を処理（１）〜（３）を実行することで取得する（図１８における処理（１）〜（３））。
【０１５２】
そして、画像形成装置２０の中で、自身が持つ閲覧履歴と、取得した閲覧履歴をマージし、その後、ＰＣ１０、１１、１２のノードに一斉に、或いは順次配信する（図１８における処理（４））。このとき、同期対象となるノードが電源断などで使用不可能な場合は、同期処理対象とはならない。
【０１５３】
このような同期処理を行なうことにより、マスターである画像形成装置２０のみならず他のノードにおいても統合閲覧履歴を参照することが可能になる。
【０１５４】
図１９、図２０は、本発明に係るデータ処理装置における第１のデータ処理手順の一例を示すフローチャートである。本処理は、ノード同期によるネットワーク上のファイル処理手順に対応する。なお、Ｓ５０１〜Ｓ５１８、Ｓ６０１〜Ｓ６１５は各ステップを示す。また、本ステップは、図４に示すＣＰＵ１１２がＲＯＭ１１４等からＤＲＡＭ１１６に制御プログラムをロードして実行することで実現される。
【０１５５】
まず、ステップＳ５０１で、例えば機器としての画像形成装置２０が起動し、ステップＳ５０２において、起動時に同期する設定があるかどうかをＣＰＵ１１２が判断する。ここで、ＣＰＵ１１２が同期する設定があると判断した場合は、ステップＳ５０３で同期処理を行い、同期する設定がないと判断した場合は、ステップＳ５０４に進む。この同期処理は、前回起動していた状態でアクセスした情報が同期される。
【０１５６】
一方、ステップＳ５０２で、起動時同期設定がないと判断した場合は、ステップＳ５０２からステップＳ５０４へ進む。
【０１５７】
そして、ステップＳ５０３で同期処理を行い、ステップＳ５０２で同期する設定がないと判断した場合は、ステップＳ５０４に進む。この同期処理は、前回起動していた状態でアクセスした情報が同期される。
【０１５８】
次に、ステップＳ５０４では、図５に示した液晶表示部ＰＴ上に配置されているファイル検索キー５９６が押下されたかどうかをメインコントローラ１１１のＣＰＵ１１２が判断する。そして、ファイル検索キー５９６が押下されていると判断した場合は、ステップＳ５０５にて、図７で示したようにファイルのリストを取得し、ステップＳ５０６で、閲覧キー７２２が押下されたかどうかをＣＰＵ１１２が判断する。そして、閲覧キー７２２が押下されていると判断した場合は、ステップＳ５０７に進み、その履歴をローカルのファイルとしてハードディスク１６２に保存する。
【０１５９】
その後、ステップＳ５０８において、同期処理を行うかどうかを判断し、同期処理を行う場合、次に説明するそれぞれの処理Ａ１〜Ａ３を行う。
【０１６０】
一方、ステップＳ５０８で、同期処理を行わないと判断した場合は、本処理を終了する。
【０１６１】
同期処理について、定期同期処理の場合は、ステップＳ５０９からステップＳ５１１に進み、処理Ａ１を開始する。そして、定期同期処理の実行の設定があるかどうかをＣＰＵ１１２が判断する。定期同期処理の実行の設定があると判断した場合は、ステップＳ５１２に進み、一定期間時間が経過したかどうかをＣＰＵ１１２が判断し、設定された時間が経過していると判断した場合は、ステップＳ５１３に進む。そして、同期処理を行う。そして、再度ステップＳ５１２に戻り、時間の経過を監視する。
【０１６２】
一方、ステップＳ５１１にて定期同期処理の設定がないと判断した場合は、本処理をリターンする。
【０１６３】
次に、指定時間実行処理の場合は、ステップＳ５０９からステップＳ５１４に進み、処理Ａ２を開始する。そして、指定時間実行の設定があるかどうかをＣＰＵ１１２が判断しており、指定時間実行の設定があると判断した場合は、ステップＳ５１５に進む。
【０１６４】
そして、指定時刻が来ているとＣＰＵ１２が判断した場合は、ステップＳ５１６で同期処理を行う。
【０１６５】
一方、ステップＳ５１４にて指定時間実行の処理設定がないと判断した場合は、本処理をリターンする。
【０１６６】
そして、ノードを設定して同期処理を行う場合は、ステップＳ５０９からステップＳ５１７に進み、処理Ａ３を開始する。そして、図５に示した表示画面で、閲覧履歴同期キー５９９が押下されたかをＣＰＵ１１２が判断しており、図１０で開始キー１３２３が押下されたと判断した場合は、ステップＳ５１８で同期処理を行う。
【０１６７】
次に、図２０におけるステップＳ６０１にて、統合閲覧履歴キー５９８が押下されたかどうかをＣＰＵ１１２が判断する。そして、統合閲覧履歴キー５９８が押下されたと判断した場合は、ステップＳ６０２にて、統合閲覧履歴を保存する保存先から取得して操作部１５０に表示する。そして、ステップＳ６０３にて、表示するアイコンを決定するアイコン表示処理Ｂを実行する。そして、ステップＳ６０４にてそれぞれの処理Ｃ１〜Ｃ３を実行する。
【０１６８】
以下、ステップＳ６０３の表示アイコンの決定について説明する。
【０１６９】
ステップＳ６０５では、まず、プリント装置を備えているかどうかをＣＰＵ１１２が判断し、プリント装置を備えていないと判断した場合は、本処理をリターンする。
【０１７０】
一方、ステップＳ６０５で、プリンタ装置を備えていると判断した場合は、ステップＳ６０６で、リストアップされたファイルがプリント可能なファイルかどうかをＣＰＵ１１２が判断する。そして、プリント可能なファイルでないと判断した場合は、本処理をリターンする。
【０１７１】
一方、ステップＳ６０６で、プリント可能なファイルであるとＣＰＵ１１２が判断した場合は、ステップＳ６０７で、プリントアイコンを操作部１５０の液晶表示部ＰＴに表示する。
【０１７２】
次に、ステップＳ６０８で、リストアップされたファイルが印刷プレビュー可能なファイルかをＣＰＵ１１２が判断し、印刷プレビュー可能なファイルでないと判断した場合は、本処理をリターンする。
【０１７３】
一方、ステップＳ６０８で、印刷プレビュー可能なファイルであると判断した場合は、ステップＳ６０９で、印刷プレビューアイコンＩＣ１１を操作部１５０の液晶表示部ＰＴに表示して、本処理をリターンする。
【０１７４】
以下、ステップＳ６０４の処理Ｃ１〜Ｃ３に関して説明する。
【０１７５】
処理Ｃ１を実行する場合は、ステップＳ６１０で、印刷プレビューアイコンＩＣ１１が押下されたかどうかをＣＰＵ１１２が判断して、印刷プレビューアイコンＩＣ１１が押下されていないと判断した場合は、本処理をリターンする。
【０１７６】
一方、ステップＳ６１０で、印刷プレビューアイコンＩＣ１１が押下されていると判断した場合は、ステップＳ６１１で、図１３に示すように操作部１５０の液晶表示部ＰＴ上にプレビュー表示を行い、本処理をリターンする。
【０１７７】
次に、処理Ｃ２を実行する場合は、ステップＳ６１２で、プリント開始ボタン１３３３が押下されたかどうかをＣＰＵ１１２が判断して、押下されていいないと判断した場合は、本処理をリターンする。
【０１７８】
一方、ステップＳ６１２で、押下されていると判断した場合は、ステップＳ６１３で、プレビューされている画像ファイルをプリンタ部３００へ転送してプリントを行い、本処理をリターンする。
【０１７９】
次に、処理Ｃ３を実行する場合は、ステップＳ６１４で、図１２に示した閲覧ボタン１３１３が押下されているかどうかをＣＰＵ２１２が判断して、閲覧ボタン１３１３が押下されていないと判断した場合は、本処理をリターンする。
【０１８０】
一方、ステップＳ６１４で、閲覧ボタン１３１３が押下されていると判断した場合は、ステップＳ６１５で、ファイル閲覧のための表示を操作部１５０の液晶表示部ＰＴ上に行い、本処理をリターンする。
【０１８１】
なお、図１９，２０に示す各ステップは、各ノードとしてアクセス可能な機器であれば、データ処理装置、画像形成装置、サーバ装置、情報処理装置等のいずれで実行されるものであってもよい。
【０１８２】
〔第２実施形態〕
上記実施形態では、画像形成装置における統合履歴閲覧処理について説明したが、以下のように構成してもよい。
【０１８３】
例えばノードとしてアクセス可能な機器が、サーバ装置、他のデータ処理装置である場合には、ファイル閲覧表示処理以外の処理において、図２０に示すステップＳ６０１〜Ｓ６１３を省略して、ステップＳ６１４を実行する構成も本発明の実施形態である。
【０１８４】
〔第３実施形態〕
上記実施形態では、同期先となる登録されているドメインから閲覧履歴を取得する場合について説明したが、以下のように構成してもよい。
【０１８５】
例えば各ノード毎に参照相手を制限する処理（例えばユーザ認証処理等）を加えることで、同期させるノードを制限するシステムとして構築することも可能である。
【０１８６】
〔第４実施形態〕
本実施形態では、図７においてファイル検索の場合に、参照できないファイル形式である場合に、閲覧を制限するリスト表示を行う場合について説明した。
【０１８７】
これに対して、そのファイル形式を処理できる他のノードにデータ変換処理等を要求して、自機で表示可能なファイルとして取得する処理を加えることで、プレビュー表示或いは印刷可能としてもよい。
【０１８８】
〔第５実施形態〕
本実施形態では、図１２において、ファイル閲覧履歴をアクセス日時でソートして表示する場合について説明したが、ファイルパスの属性やアクセスノード毎にファイルパスをソート表示できるように構成してもよい。
【０１８９】
〔第６実施形態〕
本実施形態では、操作部１５０に統合閲覧履歴を表示する場合について説明したが、以下のように構成してもよい。
【０１９０】
例えばハードディスク１６２に統合閲覧履歴をユーザ別の自機の閲覧履歴に全複写、あるいはドメイン選択複写等の処理を実行することで、以後、統合閲覧履歴とは独立して自機の閲覧履歴とし参照できるように制御してもよい。
【０１９１】
〔第７実施形態〕
以下、図２１に示すメモリマップを参照して本発明に係るデータ処理装置で読み取り可能なデータ処理プログラムの構成について説明する。
【０１９２】
図２１は、本発明に係るデータ処理装置で読み取り可能な各種データ処理プログラムを格納する記憶媒体のメモリマップを説明する図である。
【０１９３】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１９４】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１９５】
本実施形態における図２２，２３に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１９６】
以上のように、前述した実施形態の機能を実現するソフトウエアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的が達成されることは言うまでもない。
【０１９７】
この場合、記憶媒体から読み出されたプログラムコード自体が本発明の新規な機能を実現することになり、そのプログラムコードを記憶した記憶媒体は本発明を構成することになる。
【０１９８】
従って、プログラムの機能を有していれば、オブジェクトコード、インタプリタにより実行されるプログラム、ＯＳに供給するスクリプトデータ等、プログラムの形態を問わない。
【０１９９】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０２００】
この場合、記憶媒体から読出されたプログラムコード自体が前述した実施形態の機能を実現することになり、そのプログラムコードを記憶した記憶媒体は本発明を構成することになる。
【０２０１】
その他、プログラムの供給方法としては、クライアントコンピュータのブラウザを用いてインターネットのホームページに接続する。そして、該ホームページから本発明のコンピュータプログラムそのもの、もしくは、圧縮され自動インストール機能を含むファイルをハードディスク等の記録媒体にダウンロードすることによっても供給できる。
【０２０２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０２０３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０２０４】
また、コンピュータが読み出したプログラムコードを実行することにより、前述した実施形態の機能が実現されるだけでなく、そのプログラムコードの指示に基づき、コンピュータ上で稼働しているＯＳ等が実際の処理の一部または全部を行う。そして、その処理によって前述した実施形態の機能が実現される場合も含まれることは言うまでもない。
【０２０５】
さらに、記憶媒体から読み出されたプログラムコードが、コンピュータに挿入された機能拡張ボードやコンピュータに接続された機能拡張ユニットに備わるメモリに書き込ませる。そして、その後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０２０６】
本発明は上記実施形態に限定されるものではなく、本発明の趣旨に基づき種々の変形（各実施形態の有機的な組合せを含む）が可能であり、それらを本発明の範囲から排除するものではない。
【０２０７】
本発明の様々な例と実施形態を示して説明したが、当業者であれば、本発明の趣旨と範囲は、本明細書内の特定の説明に限定されるのではない。
【０２０８】
上記実施形態によれば、様々なノード（ＰＣやサーバ、複写機やプリンタなど）から、統一的に閲覧履歴を参照できるため、以前アクセスしたファイルへのアクセスが容易になる。
【０２０９】
また、自機でプリント、プレビューが可能な複写機やプリンタなどの画像形成装置では、操作部上に認識しやすいようにアイコンを表示することにより、そのファイルの性質を容易に把握できる。また、様々な同期方法を提供することにより、閲覧履歴の管理をユーザが選択できるため、ユーザの利便性が向上する。
【図面の簡単な説明】
【０２１０】
【図１】本発明の第１実施形態を示すデータ処理装置を適用可能なデータ処理システムの一例を示す図である。
【図２】図１に示したＰＣの内部構成を説明するブロック図である。
【図３】図１に示した画像形成装置の構成を説明するブロック図である。
【図４】図３に示した制御装置の構成を説明するブロック図である。
【図５】図３に示した操作部の表示部に表示される基本画面を示す図である。
【図６】図５に示した液晶表示部に表示されるログイン画面の一例を示す図である。
【図７】図５に示した液晶表示部に表示されるファイル検索画面の一例を示す図である。
【図８】図５に示した液晶表示部に表示される閲覧履歴の同期方法設定画面の一例を示す図である。
【図９】図５に示した液晶表示部に表示される閲覧履歴の同期方法詳細設定画面の一例を示す図である。
【図１０】図５に示した液晶表示部に表示される同期ノード選択画面の一例を示す図である。
【図１１】図２に示したＰＣの液晶ディスプレイに表示されるファイル閲覧履歴表示画面の一例を示す図である。
【図１２】図５に示した液晶表示部ＰＴに表示されるファイル閲覧履歴表示画面の一例を示す図である。
【図１３】図５に示した液晶表示部に表示される印刷プレビュー画面の一例を示す図である。
【図１４】本発明に係る同期処理においてノード指定をした場合のネットワークの様子を説明した図である。
【図１５】本発明に係る同期処理においてドメイン指定をした場合のネットワークの様子を説明した図である。
【図１６】本発明に係る同期処理においてＳＳＯ使用を選択した場合のネットワークの様子を説明した図である。
【図１７】本発明に係る同期処理において同期対象となるデータの説明をした図である。
【図１８】本発明を適用するデータ処理システムにおける同期処理について説明した図である。
【図１９】本発明に係るデータ処理装置における第１のデータ処理手順の一例を示すフローチャートである。
【図２０】本発明に係るデータ処理装置における第１のデータ処理手順の一例を示すフローチャートである。
【図２１】本発明に係るデータ処理装置で読み取り可能な各種データ処理プログラムを格納する記憶媒体のメモリマップを説明する図である。
【符号の説明】
【０２１１】
１０〜１３  ＰＣ
２０、２１  画像形成装置
１１０  制御装置
１５０  操作部
【図１】
2007041976.tif 000003
【図２】
2007041976.tif 000004
【図３】
2007041976.tif 000005
【図４】
2007041976.tif 000006
【図５】
2007041976.tif 000007
【図６】
2007041976.tif 000008
【図７】
2007041976.tif 000009
【図８】
2007041976.tif 000010
【図９】
2007041976.tif 000011
【図１０】
2007041976.tif 000012
【図１１】
2007041976.tif 000013
【図１２】
2007041976.tif 000014
【図１３】
2007041976.tif 000015
【図１４】
2007041976.tif 000016
【図１５】
2007041976.tif 000017
【図１６】
2007041976.tif 000018
【図１７】
2007041976.tif 000019
【図１８】
2007041976.tif 000020
【図１９】
2007041976.tif 000021
【図２０】
2007041976.tif 000022
【図２１】
2007041976.tif 000023